(57)【要約】【課題】器具流量に応じた積算及び積算表示を行うガス遮断装置を提供することを目的とする。【解決手段】流量演算手段１０で流量換算し、この流量演算手段１０の流量値よりプラスかマイナス流量かを判断し所定量積算されるまで積算補正を行う積算補正手段１１と、積算補正手１１で所定積算値に達すると出力され、流量演算手段１０で求めた流量と積算テーブル手段１２とから加算積算量演算手段１３で単位積算量の積算周期を求め設定しカウント後所定時間毎単位積算量を出力し、単位積算量を所定時間毎出力される加算していく積算手段１４とからなる。【選択図】図１
2006133157.tif 000002
【特許請求の範囲】
【請求項１】
媒体内の信号伝搬時間を計測し流速を検出する流速検出手段と、前記流速検出手段で検出した流速より流量に換算する流量演算手段と、前記流量演算手段の流量値より積算補正を行う積算補正手段と、計測流量域を複数分割し各々の流量域毎に積算周期を設定したテーブルを有する積算テーブル手段と、前記積算補正手段で所定積算値に達すると出力され前記流量演算手段で求めた流量値と前記積算テーブル手段とから単位積算量の積算周期を演算し所定時間毎単位積算量を出力する加算積算量演算手段と、前記加算積算量演算手段で演算した単位積算量を所定時間毎出力すると加算する積算手段と、積算値等を表示する表示手段とを備えたガス遮断装置。
【請求項２】
媒体内の信号伝搬時間を計測し流速を検出する流速検出手段と、前記流速検出手段で検出した流速より流量に換算する流量演算手段と、前記流量演算手段の流量値より積算補正を行う積算補正手段と、前記積算補正手段で所定積算値に達すると出力され前記流量演算手段で求めた流量値とから単位積算量の積算周期を演算し所定時間毎単位積算量を出力する加算積算量演算手段と、前記加算量積算手段で求めた単位積算量の積算周期が所定時間以上の場合一定周期で出力する加算周期制限手段と、前記加算周期制限手段で演算した単位積算量を所定時間毎出力すると加算する積算手段と、積算値等を表示する表示手段とを備えたガス遮断装置。
【請求項３】
請求項１〜２のいずれか１項記載の遮断装置の手段の全てもしくは一部としてコンピュータを機能させるためのプログラム。
【発明の詳細な説明】
【技術分野】
【０００１】
本発明は、超音波を用いて配管内を流れるガス媒体、例えば都市ガスやＬＰガス等流速を検出し、そのガス流速変化よりガス使用状態が安全か否かを監視するガス遮断装置に関する。
【背景技術】
【０００２】
図３は従来のガス遮断装置を示すもので、２１はガス管路、２２は第１超音波送受信器で、超音波を送受信しガス管路２１の上流側に設置される。２３は第２超音波送受信器で、超音波を送受信しガス管路２１の下流側に対向して取り付けられている。
【０００３】
２４は送信回路で、第１超音波送受信器２２から超音波信号を送信させ、増幅回路２５を介して第２超音波送受信器２３で受信した信号を増幅する。２６は比較回路で、増幅された信号と基準信号とを比較する。２７は計時手段で、超音波の発信から受信迄の時間をタイマカウンタで計測するもので、これらで計測回路２８が構成されている。
【０００４】
２９は流量演算手段で、計時手段７による超音波伝搬時間に加えガス管路１の断面積、流れの状態を考慮して流量値を求める。３０は周期可変手段で、流量演算手段２９の値によって測定周期の変更を行う。３１は計測開始手段で、周期可変手段３０の値に応じて送信回路への信号送出タイミングを調節する。３２は計測終了手段で、流量演算手段２９の演算終了を検出する。３３は電圧制御手段で、計測終了手段３２に同期して計測回路２８の電圧を低下させ、又計測開始手段２１による計測開始と同期して計測回路２８の電圧を復帰させる（例えば、特許文献１参照）。
【０００５】
次に従来例の構成の動作を説明する。計測開始手段３１により送信回路２４からバースト信号が送出され、これによって、第１超音波送受信器２２から発信された超音波信号はガス管路２１のガスの流れの中を伝搬して第２超音波送受信器２３で受信され、さらに増幅回路２５と比較回路２６で信号処理され、発信から受信までの時間を計時手段２７で測定する。
【０００６】
流量が大きい時は計時サンプリングを速くして誤差を小さくする必要があり、又また流量が小さい時、或いは流量零の時は計測サンプリングを遅くしてもほとんど誤差にならない。よって流量演算手段２９の値に応じて計測間隔を変更する。
【０００７】
流量演算手段２９の値が小さい時、周期可変手段３０で計測時間の間隔を大きくし、流量演算手段２９の値が大きいなるに伴って計測時間の間隔を小さくする。また計測と計測との間には計測回路２８の電圧を低減する。
【０００８】
流量演算手段２９によって流量計測を終了すると、計測終了手段３２に信号を送出し、電圧制御手段３３で電圧を下げるか、零にする。
【０００９】
そして、計測開始手段３１によって計測開始前に電圧制御手段３３により計測回路２８の電圧を元に復帰させる。
【特許文献１】特開平９−２１６６７号公報
【発明の開示】
【発明が解決しようとする課題】
【００１０】
しかしながら上記従来の構成では下記問題点があった。すなわち、第１，第２超音波送受信器２２，２３によりガス管路２１中の流量を計測するが、上流側で圧力を変動させるような器具が使用された場合、ガス管路１中の流速分布が圧力変動がない場合と異なり、特にガステーブル等の低流量のガス器具の場合、流速分布が安定せず圧力変動が大きい場合一時的にマイナスの瞬時流量を検出する場合があり、また器具停止状態の場合、検出する流量値が圧力変動によりマイナスの瞬時流量を検出する場合もあり、このような場合の積算判定方法が確立されていない。
【００１１】
本発明は上記課題を解決するもので、使用器具の使用流量が変動してもガス器具の使用有無にかかわらず正確に精度よくガス使用量を積算するガス遮断装置を提供することを目的としたものである。
【課題を解決するための手段】
【００１２】
この課題を解決するために本発明は、流速検出手段で媒体内の流速を検出し流量演算手段で流量に換算し、流量演算手段の流量値よりプラスかマイナス流量かを判断し所定量積算されるまで積算補正を行う積算補正手段と、積算補正手段で所定積算値に達すると出力され流量演算手段で求めた流量と積算テーブル手段の格納された積算周期とから加算積算量演算手段で単位積算量の積算周期を設定カウントし所定時間毎単位積算量を出力し、単位積算量を所定時間毎出力される加算していく積算手段とからなる。
【００１３】
このことにより、上流側に圧力変動させるような器具が接続されていて下流側にガステーブルやガスファンヒータ等の低流量の器具や、ＧＨＰや給湯器等の大流量器具が接続されていても、積算補正手段で検出した瞬時流量値に応じプラス側に積算するかマイナス側に調節するか判断して積算を行い、所定積算値がたまったら流量検出手段でもとめた流量に応じた時間毎に単位積算量を積算手段に出力するので、積算値は器具の使用量に応じて増加していき、特に積算値を表示手段で表示する場合器具の使用量に応じた増え方をし、その変化状態を使用実態にあわせ適確に表示できるので、流速変動を生じていても流量の異なる器具を使用しても、正確かつ精度よく積算値を求めかつ表示できる。
【発明の効果】
【００１４】
本発明のガス遮断装置によれば、上流側に圧力変動させるような器具が接続されていて下流側にガステーブルやガスファンヒータ等の低流量の器具や、ＧＨＰや給湯器等の大流量器具が接続されていても、積算補正手段で検出した瞬時流量値に応じプラス側に積算するかマイナス側に調節するか判断して積算を行い、所定積算値がたまったら流量検出手段でもとめた流量に応じ積算テーブル手段より該当の積算周期を求め所定時間毎に単位積算量を積算手段に出力するので、積算値は器具の使用量に応じて増加していき、特に積算値を表示手段で表示する場合器具の使用量に応じた増え方をし、その変化状態を使用実態にあわせ適確に表示できるので、流速変動を生じていても流量の異なる器具を使用しても、器具の使用量に応じた速度で表示できないという不具合がおきることなく、高速に積算周期を求めることができ特に電池電源の場合電池消費量が少なく、ガス器具使用時の正確かつ精度よく積算値を求めかつ表示でき表示等の信頼性が極めて向上する効果がある。
【発明を実施するための最良の形態】
【００１５】
第１の発明は、媒体内の信号伝搬時間を計測し流速を検出する流速検出手段と、前記流速検出手段で検出した流速より流量に換算する流量演算手段と、前記流量演算手段の流量値より積算補正を行う積算補正手段と、計測流量域を複数分割し各々の流量域毎に積算周期を設定したテーブルを有する積算テーブル手段と、前記積算補正手段で所定積算値に達すると出力され前記流量演算手段で求めた流量値と前記積算テーブル手段とから単位積算量の積算周期を設定カウントし所定時間毎単位積算量を出力する加算積算量演算手段と、前記加算積算量演算手段で演算した単位積算量を所定時間毎出力すると加算する積算手段と、積算値等を表示する表示手段とからなる。
【００１６】
そしてガス遮断装置が設置された上流側にガスヒートポンプ式エアコン（ＧＨＰ）等の圧力変動を起こしやすい器具が接続され、下流側にガステーブルやガスファンヒータ等の低流量の器具や、ＧＨＰや給湯器等の大流量器具が接続されている場合、流速検出手段で器具の使用流速を求め流量換算するが圧力変動等により瞬時流量が変動し正負流量を検出するときあるが、まず検出した流量が正負かどうか判断し積算補正手段で一旦プラスマイナス値により相殺積算され、所定量積算されると加算積算量演算手段に出力され、現在の器具使用流量より積算テーブル手段より流量に対応し、かつ更に単位流量を出力する周期を求め定期的に積算手段に単位流量を積算していくので、高速に積算周期を求めることができ特に電池電源の場合電池消費量が少なく、器具の使用流量に応じた積算値の増加量で正確に積算でき、かつ表示できるので器具流量に無関係に一定量で積算、あるいは表示されたり実態に合わない積算増加表示されることなく正確に表示できる。
【００１７】
更に第２の発明は、媒体内の信号伝搬時間を計測し流速を検出する流速検出手段と、前記流速検出手段で検出した流速より流量に換算する流量演算手段と、前記流量演算手段の流量値より積算補正を行う積算補正手段と、前記積算補正手段で所定積算値に達すると出力され前記流量演算手段で求めた流量値とから単位積算量の積算周期を演算し所定時間毎単位積算量を出力する加算積算量演算手段と、前記加算量積算手段で求めた単位積算量の積算周期が所定時間以上の場合一定周期で出力する加算周期制限手段と、前記加算周期制限手段で演算した単位積算量を所定時間毎出力すると加算する積算手段と、積算値等を表示する表示手段とからなる。
【００１８】
そしてガス遮断装置が設置された上流側にガスヒートポンプ式エアコン（ＧＨＰ）等の圧力変動を起こしやすい器具が接続され、下流側にガステーブルやガスファンヒータ等の低流量の器具や、ＧＨＰや給湯器等の大流量器具が接続されている場合、流速検出手段で器具の使用流速を求め流量換算するが圧力変動等により瞬時流量が変動し正負流量を検出するときあるが、まず検出した流量が正負かどうか判断し積算補正手段で一旦プラスマイナス値により相殺積算され、所定量積算されると加算積算量演算手段に出力され現在の器具使用流量より所定流量の更に単位流量を出力する周期を求め定期的に積算手段に単位流量を積算していくが、求めた周期がかなり長い場合、加算周期制限時間である一定周期で積算手段に加算するように制限しており、通常器具の使用流量に応じた積算値の増加量で正確に積算でき、かつ表示でき、また低流量が流れた場合でもある一定時間毎積算するので通信手段より積算値要求されても早期に積算値がわかり、器具流量に無関係に一定量で積算、あるいは表示されたり実態に合わない積算増加表示されることなく正確に表示できる。
【００１９】
以下、本発明の実施の形態を図面を参照して説明する。
【００２０】
（実施の形態１）
図１において、１は流速検出手段で、ＬＰ等のガス媒体のガス流路２に対向設置された第１超音波送受信器３と、第２超音波送受信器４を有するものである。そして、一方より超音波信号を送信し、他方で受信するまでの伝搬時間より使用ガスの流速を検出する。
【００２１】
流速検出手段１の一例として次の様な方法がある。すなわち、流速検出手段１は、切替手段５と、送信手段６と、受信手段７と、繰返手段８と、伝搬時間計測手段９とからなる。
【００２２】
送信手段６と受信手段７とは切替手段５に接続され、この切替手段５はまず送信手段６を第１超音波送受信器３に、受信手段７を第２超音波送受信器４に接続し、その後、送信手段６を第２超音波送受信器４に、受信手段７を第１超音波送受信器３に接続するというように交互に送信手段６と受信手段７の接続先を切り替える。
【００２３】
繰返手段８は切替手段５により第１超音波送受信器３に受信手段７が、一方、第２超音波送受信器４に送信手段６が接続された時、送信手段６から発信された超音波信号は第１超音波送受信器３よりガス流路２を経て第２超音波送受信器４から受信手段７で受信されるが、超音波信号の送信から受信迄を繰り返し行い、更に伝搬時間計測手段９でその間の信号伝搬時間を計測する動作を繰り返し行う。伝搬時間計測手段９は超音波信号の送信から受信までの時間を計測し累積する。
【００２４】
次に切替手段５により第２超音波送受信器４に受信手段７を、第１超音波送受信器３に送信手段６が接続され、前述の動作を繰り返し行う。伝搬時間計測手段９は最初受信し求めた伝搬時間と、次に切替手段５により切り替えた後計測した信号伝搬時間とから伝搬時間差を求める。
【００２５】
１０は流量演算手段で、求めた伝搬時間より流速を求め更に流量値に換算する。１１は積算量補正手段で、流量演算手段１０で求めた流量値を所定時間毎積算するが、求めた瞬時流量がプラスの場合は加算し、マイナス流量の場合は減算処理を行い相殺処理を行う。特に上流側にＧＨＰ等の圧力変動を起こす器具が使用された場合下流側にあるガス遮断装置では下流側で器具を使用していない場合あたかも器具を使ったような流量値や逆のマイナス流量を検出することがあり積算量が勝手に増加するのを防止している。
【００２６】
１２は積算テーブル手段で、計測流量域を複数に分割し各々の流量域ごとに、積算する単位積算量の積算周期をテーブルとして有する。１３は加算積算量演算手段で、積算補正手段１１で求めた流量より相殺処理を行いつつ所定量に達したならば積算値として積算するが、まずいきなり加算すると特に積算表示値において数字飛びが発生し順番に増加表示しないという問題がある。
【００２７】
そこで積算補正手段１１で所定量たまったらその時の瞬時流量より積算テーブル手段１２より更に単位積算毎の加算周期を求める。求めた加算周期毎小さい単位積算量を出力する。単位積算量が所定回達すれば所定量になる。
【００２８】
１４は積算手段で、加算積算量演算手段１３で求めた加算周期ごとに出力される単位積算量を加算していく。１５は表示手段で、積算手段１４で積算された積算値などを表示する。
【００２９】
１６は異常判定手段で、ホース抜け等の異常流量値やガス遮断装置で使用可能な流量域を分割し各々の流量域に対応した使用時間設定値を有し、ガス器具の通常使用時間とを識別する判定時間等を保持しており、流量演算手段１０で求めた流量値と設定されたガス器具使用時の異常判定値と比較し異常な使用状態かどうかを判定する。
【００３０】
例えばストーブ等の器具への接続ホース等が誤ってはずれた場合、異常な流量が流れるが、求めた流量値と異常判定値とを異常判定手段１６で比較し異常かどうか判定する。或いはストーブ等の器具を通常使用する最大使用時間より長くはるかに使用された場合に対応した使用時間の制限時間を規定した使用時間遮断テーブルが格納されており、異常判定手段１６が流量演算手段１０で求めた流量値を監視する。
【００３１】
１７は遮断手段で、異常判定手段１６から異常と判定された時遮断信号が出力されガス流路２を遮断する。異常判定手段１６でガスの使用状態が異常と判定し、遮断手段１７を駆動した場合、遮断状態や遮断内容を報知手段（図示せず）の液晶表示素子等に表示するとともに、ガスの安全監視を行っているセンタに電話回線などで通報する。
【００３２】
次に上記構成の動作を説明する。通常ＬＰＧ容器から高圧ホースで圧力調整器に接続され、その下流側にガス消費器具との間にガス遮断装置は設置される。ガス遮断装置のガス管路２は長い配管の一部であり、こうした中で第１，第２超音波送受信器３，４とが斜向設置され、超音波の伝搬により流量計測を行う。
【００３３】
一方、ガス遮断装置の上流側よりガス管路２が分岐し、ガスヒートポンプエアコン（ＧＨＰ）等に接続される。ガス器具を使用停止後、配管中のガスの上流から下流への流れはないが、上流側でＧＨＰ等が運転されていると、ガス圧力の変動が起こり、あたかも器具を使用しているかのような流量を検出したり、マイナス流量を検出する場合がある。
【００３４】
ここでの流速検出手段１の動作を説明する。ガス流路２に斜向設置された第１，第２超音波送受信器３，４の間で超音波信号を送受信する。切替手段５により第１超音波送受信器３に送信手段６が接続され、一方受信手段７に第２超音波送受信器４が接続され、送信手段６から発信された信号を第１超音波送受信器３から第２超音波送受信器４を介し受信する。
【００３５】
この動作を繰返手段８で設定された回数だけ行うシングアラウンド系を構成する。送信手段６より発射された超音波信号を受信手段７が受信する迄の伝搬時間を累積し、その時間を伝搬時間計測手段９で求める。
【００３６】
次に、切替手段５は第２超音波送受信器４に送信手段６を接続し、第１超音波送受信器３に受信手段７を接続する。送信手段６より超音波信号を出力し第２超音波送受信器４を介してガス流路２を経て第１超音波送受信器３に接続された受信手段７で信号受信する。前述同様に繰返手段８で設定された回数だけ行う。
【００３７】
送信手段６より発射された超音波信号を受信手段７が受信する迄の伝搬時間を伝搬時間計測手段９で累積し求め、更に上流から下流へ超音波信号を発射した時の伝搬時間と、下流から上流へ発射した時の伝搬時間とから伝搬時間差を求める。流量演算手段１０で伝搬時間計測手段９で求めた伝搬時間を流速値Ｖに換算し、次に流量値Ｑに換算する。図１でＡはガス媒体の流れる方向を示す。
【００３８】
次に、流量演算手段１０で求めた流量値を積算補正手段１１に積算する。このときプラス流量の場合加算積算するが、マイナス流量の場合現在の積算補正手段１１に格納されている積算値より減算処理を行う。
【００３９】
こうして上流側で圧力変動による流量変化を検出した場合は、相殺しながら実際の器具の使用量を求める。変動中は相殺され積算値は増加しないが、器具を使用開始すると積算値が増加し所定量に達すると積算手段１４に格納する準備を行う。
【００４０】
即ち所定量たまると加算積算量演算手段１３ではその時流量演算手段１０で検出した瞬時流量より積算テーブル手段１２で保有する単位積算量の積算周期を求める。所定量を構成する１／ｎの単位流量の積算周期を設定しカウントする。
【００４１】
そして求まった周期で単位積算量を出力し、積算手段１４は単位積算量毎積算し格納する。その積算値を表示手段１５で単位積算量毎加算されると、最小表示値に達すると表示するとともに、積算値を表示する。
【００４２】
次に求めた流量を異常判定手段１６は器具の異常な使用状態かどうかを判定する。異常判定手段１６は、ガス遮断装置で使用可能な最大流量とホース抜け等による異常な大流量との識別判定流量や、ガス遮断装置で使用可能な流量域を分割し各々の流量域に対応した使用時間設定値を有している。
【００４３】
異常判定手段１６は、流量演算手段１０で求めた流量と設定された異常判定流量とを比較し超えているかどうか判定したり、超えていない場合、求めた平均流量値とガス使用量の使用時間設定値と比較し異常な長時間使用状態かどうかを判定する。
【００４４】
例えばストーブ等の器具を通常使用する最大使用時間より長く使用された場合に、対応した使用時間の制限時間を規定した使用時間遮断テーブルが異常判定手段１６に格納されており、この異常判定手段１６が器具流量を監視する。
【００４５】
異常判定手段１６から異常と判定された時遮断信号が遮断手段１７に出力されガス流路２を遮断する。異常判定手段１６でガスの使用状態が異常と判定し、遮断手段１７を駆動した場合、遮断状態や遮断内容を表示手段１５の液晶表示素子等に表示するとともに、ガスの安全監視を行っているセンタに電話回線などで通報する。
【００４６】
このようにしてガス遮断装置が設置されガス流路２中の流量計測時、器具流量による流量変化があっても所定量毎の更に単位流量毎器具使用流量に応じた積算周期を積算テーブルより高速に求め積算するので、器具の使用流量に応じた積算、及び積算表示ができ、流量に無関係に一定に表示することによる違和感をなくし、無関係に勝手に積算されることなく、正確に器具の使用実態の変化に連動した積算及び積算表示が可能となり、高速に積算周期を求めることができ、特に電池電源の場合電池消費量が少なく、又保安センタを通じて器具の使用量の変化を積算値より監視することも可能で正確にガスの使用状態を把握でき、使い勝手が向上する。
【００４７】
（実施の形態２）
実施の形態２を図２を参照して説明する。なお、図１と同一機能を有する構成要素には同一番号を付し、説明は実施の形態１を援用する。
【００４８】
１８は加算周期制限手段で、加算積算量演算手段１３で積算周期を求めるが所定時間以上の場合、ある一定時間毎の積算周期にリミットをかけ、あまりの長い周期にために器具使用停止後も長時間かかって積算するのを防止している。
【００４９】
次に上記構成の動作を説明する。通常ＬＰＧ容器から高圧ホースで圧力調整器に接続され、その下流側にガス消費器具との間にガス遮断装置は設置される。
【００５０】
ガス遮断装置のガス流路２は長い配管の一部であり、こうした中で第１，第２超音波送受信器３，４とが斜向設置され、超音波の伝搬により流量計測を行う。一方、ガス遮断装置の上流側よりガス流路２が分岐し、ガスヒートポンプエアコン（ＧＨＰ）等に接続される。
【００５１】
ガス器具を使用停止後、配管中のガスの上流から下流への流れはないが、上流側でＧＨＰ等が運転されているとガス圧力の変動が起こり、あたかも器具を使用しているかのような流量を検出したり、マイナス流量を検出する場合がある。
【００５２】
ここで流速検出手段１の一例の動作を説明する。ガス流路２に斜向設置された第１超音波送受信器３および第２超音波送受信器４の間で超音波信号を送受信する。
【００５３】
切替手段５により第１超音波送受信器３に送信手段６が接続され、一方受信手段７に第２超音波送受信器４が接続され、送信手段６から発信された信号を第１超音波送受信器３から第２超音波送受信器４を介し受信する。
【００５４】
この動作を繰返手段８で設定された回数だけ行うシングアラウンド系を構成する。送信手段６より発射された超音波信号を受信手段７が受信する迄の伝搬時間を累積し、その時間を伝搬時間計測手段９で求める。
【００５５】
次に、切替手段５は第２超音波送受信器４に送信手段６を接続し、第１超音波送受信器３に受信手段７を接続する。送信手段６より超音波信号を出力し第２超音波送受信器４を介しガス流を経て第１超音波送受信器３に接続された受信手段７で信号受信する。
【００５６】
前述同様に繰返手段８で設定された回数だけ行う。送信手段６より発射された超音波信号を受信手段７が受信する迄の伝搬時間を伝搬時間計測手段９で累積し求め、更に上流から下流へ超音波信号を発射した時の伝搬時間と、下流から上流へ発射した時の伝搬時間とから伝搬時間差を求める。
【００５７】
流量演算手段１０で伝搬時間計測手段９で求めた伝搬時間を流速値Ｖに換算し、次に流量値Ｑに換算する。図２でＡはガス媒体の流れる方向を示す。
【００５８】
しかる後、流量演算手段１０で求めた流量値を積算補正手段１１に積算する。このときプラス流量の場合は加算積算するが、マイナス流量の場合は現在の積算補正手段１１に格納されている積算値より減算処理を行う。こうして上流側で圧力変動による流量変化を検出した場合相殺しながら実際の器具の使用量を求める。
【００５９】
変動中は相殺され積算値は増加しないが、器具を使用開始すると積算値が増加し所定量に達すると積算手段１４に格納する準備を行う。すなわち、所定量たまると加算積算量演算手段１３ではその時、流量演算手段１０で検出した瞬時流量で所定量を構成する１／ｎの単位流量の積算周期を演算する。
【００６０】
そして、求まった周期で単位積算量を出力するが、加算周期制限手段１８で所定周期以上かどうかを判定し、所定周期以下の場合出力され積算手段１４は単位積算量毎積算し格納する。
【００６１】
しかし流量が異常に小さい場合所定時間よりかなり長い周期の場合があるが、ある一定時間に周期を固定しその時間毎出力する。即ち計算上あまりに長い時間の場合、器具停止しても長時間にわたり微小な単位積算量毎カウントされるので、器具により流した量に対し、通信などで積算を見た場合若干の差を生ずる場合があり、こうした非現実的な動作を防止する。その積算値を表示手段１５で単位積算量毎加算されると、最小表示値に達すると表示するとともに、積算値を表示する。
【００６２】
次に求めた流量を異常判定手段１６は器具の異常な使用状態かどうかを判定する。異常判定手段１６は、ガス遮断装置で使用可能な最大流量とホース抜け等による異常な大流量との識別判定流量や、ガス遮断装置で使用可能な流量域を分割し各々の流量域に対応した使用時間設定値を有している。
【００６３】
異常判定手段１６は、流量演算手段１０で求めた流量と設定された異常判定流量とを比較し超えているかどうか判定したり、超えていない場合求めた平均流量値とガス使用量の使用時間設定値と比較し異常な長時間使用状態かどうかを判定する。
【００６４】
例えばストーブ等の器具を通常使用する最大使用時間より長くはるかに使用された場合に対応した使用時間の制限時間を規定した使用時間遮断テーブルが異常判定手段１６に格納されており、異常判定手段１６が器具流量を監視する。
【００６５】
異常判定手段１６から異常と判定された時遮断信号が遮断手段１７に出力され、ガス流路２を遮断する。
【００６６】
異常判定手段１６でガスの使用状態が異常と判定し、遮断手段１７を駆動した場合遮断状態や遮断内容を表示手段１５の液晶表示素子等に表示すると共にガスの安全監視を行っているセンタに電話回線などで通報する。
【００６７】
このようにしてガス遮断装置が設置され、ガス流路２の流量計測時、器具流量による流量変化があっても所定量毎の更に単位流量毎器具使用流量に応じた積算周期を求め積算するので、器具の使用流量に応じた積算、及び積算表示ができ、特に器具停止直後等の微少な流量が流れた場合所定周期に設定されるので積算が異常に長くかかり遅くなるという不具合もなく、流量に無関係に一定に表示することによる違和感をなくし、無関係に勝手に積算されることなく、正確に器具の使用実態の変化に連動した積算及び積算表示が可能となり、又保安センタを通じて器具の使用量の変化を積算値より監視することも可能で正確にガスの使用状態を把握でき、使い勝手が向上する。
【産業上の利用可能性】
【００６８】
以上のように、本発明にかかるガス遮断装置は、超音波を用いて配管内を流れる各種媒体、例えば水などの液体を計測する水道メータや、又電気量を計測し使用量を積算する電力計等の用途に適用できる。
【図面の簡単な説明】
【００６９】
【図１】本発明の実施の形態１のガス遮断装置の制御ブロック図
【図２】本発明の実施の形態２のガス遮断装置の制御ブロック図
【図３】従来のガス遮断装置の制御ブロック図
【符号の説明】
【００７０】
１  流速検出手段
１０  流量演算手段
１１  積算量補正手段
１２  積算テーブル手段
１３  加算積算量演算手段
１４  積算手段
１５  表示手段
１６  異常判定手段
１７  遮断手段
１８  加算周期制限手段
【図１】
2006133157.tif 000003
【図２】
2006133157.tif 000004
【図３】
2006133157.tif 000005